(57)【要約】【課題】新しい床材が古い床材に強固に連結されるように、新しい床材の表面から見えない部分を釘打ち可能とし、釘打ちした釘の頭が見えないようにする。【解決手段】新しい床材の基材の一部に表面材を設けない未被覆領域を設け、古い床材の上にこの新しい床材を敷き詰め、古い床材に新しい床材の基材の未被覆領域を釘で固着し、釘で固着した未被覆領域を表面材と同質の副表面材で被覆接着するようにした。ここで、前記基材の前記表面材に被覆されていない各未被覆領域の幅は３０ｍｍ〜７５ｍｍが好ましい。【選択図】図１
2010007417.tif 000002
【特許請求の範囲】
【請求項１】
古い床に被覆固定する長尺板状の主床材と、該主床材に積層接着する長尺板状の副表面材とからなり、該主床材は長尺板状の基材と該基材に積層接着された１又は２以上の長尺板状の表面材とからなり、該副表面材、該基材及び該表面材は略同一の長さを有し、該副表面材と該表面材は同質の材料からなり、該基材は該表面材に被覆されていない未被覆領域を該表面材の両側に所定の幅で有し、該表面材の両側の該未被覆領域の幅の合計は該副表面材の幅と等しいことを特徴とするリフォーム用床材。
【請求項２】
前記基材の前記表面材に被覆されていない各未被覆領域の幅が３０ｍｍ〜７５ｍｍであることを特徴とする請求項１に記載のリフォーム用床材。
【請求項３】
前記表面材の片側の未被覆領域と等しい長さを有し、該未被覆領域の幅との合計が前記副表面材の幅と等しくなる幅を有する補助基材を備えていることを特徴とする請求項１又は２に記載のリフォーム用床材。
【請求項４】
前記主床材の端部が相欠きの形状になっていることを特徴とする請求項１〜３のいずれかに記載のリフォーム用床材。
【請求項５】
古い床の上に新しいリフォーム用床材を被覆固定するリフォーム方法であって、該リフォーム用床材は、古い床に被覆固定する長尺板状の主床材と、該主床材に積層接着する長尺板状の副表面材とからなり、該主床材は長尺板状の基材と該基材に積層接着された１又は２以上の長尺板状の表面材とからなり、該副表面材、該基材及び該表面材は同一の長さを有し、該副表面材と該表面材は同質の材料からなり、該基材は該表面材に被覆されていない未被覆領域を該表面材の両側に所定の幅で有し、該表面材の両側の該未被覆領域の幅の合計は該副表面材の幅と等しく、古い床の上に複数の主床材を敷き詰め、該主床材の該基材の該未被覆領域を釘で古い床に固定し、隣り合う主床材間において隣り合う両未被覆領域に該副表面材を積層接着することを特徴とするリフォーム方法。
【請求項６】
前記基材の前記表面材に被覆されていない各未被覆領域の幅が３０ｍｍ〜７５ｍｍであることを特徴とする請求項５に記載のリフォーム方法。
【請求項７】
前記表面材の片側の未被覆領域と等しい長さを有し、該未被覆領域の幅との合計が前記副表面材の幅と等しくなる幅を有する補助基材を古い床の壁際に釘で固定し、該補助基材に続いて前記主床材を古い床に釘で被覆固定し、該主床材の基材の未被覆領域と該補助基材に前記副表面材を積層接着することを特徴とする請求項５又は６に記載のリフォーム方法。
【請求項８】
前記主床材の端部が相欠きの形状になっていることを特徴とする請求項５〜７のいずれかに記載のリフォーム方法。
【請求項９】
古い床の上に新しいリフォーム用床材が積層固定され、新しいリフォーム用床材は、長尺板状の主床材と、該主床材に積層接着された長尺板状の副表面材とからなり、該主床材は長尺板状の基材と該基材に積層接着された１又は２以上の長尺板状の表面材とからなり、該基材、該副表面材及び該表面材は同一の長さを有し、該副表面材は該表面材と同質の材料からなり、該基材は該表面材に被覆されていない未被覆領域を該表面材の両側に所定の幅で有し、該表面材の両側の該未被覆領域の幅の合計は該副表面材の幅と等しく、該基材の該未被覆領域は釘で古い床に固定され、古い床に固定された該基材の隣り合う両未被覆領域には該副表面材が積層接着されていることを特徴とするリフォーム床構造。
【請求項１０】
前記基材の前記表面材に被覆されていない各未被覆領域の幅が３０ｍｍ〜７５ｍｍであることを特徴とする請求項９に記載のリフォーム床構造。
【請求項１１】
前記表面材の片側の未被覆領域と等しい長さを有し、該未被覆領域の幅との合計が前記副表面材の幅と等しくなる幅を有する補助基材が古い床に壁に接した状態で釘で被覆固定され、該補助基材に続いて前記主床材が古い床に釘で被覆固定され、前記基材の未被覆領域と該補助基材に前記副表面材を積層接着されていることを特徴とする請求項９又は１０に記載のリフォーム床構造。
【請求項１２】
前記主床材の端部が相欠きの形状になっていることを特徴とする請求項９〜１１のいずれかに記載のリフォーム床構造。
【発明の詳細な説明】
【技術分野】
【０００１】
本発明は、住宅において古くなった床をリフォームするリフォーム用床材、リフォーム方法及びリフォーム床構造に関するものである。
【背景技術】
【０００２】
一般に、住宅等の床は、床材が経年により汚れたり傷付いた場合、また、その部屋の入居者が変わる場合等にリフォームが行われている。そして、住宅等の床は木質系が一般的なので、床のリフォームにおいては床材を剥がし取って新しい床材に貼り替えることが行われている。
【０００３】
しかし、木質系の床では、床材を下地材に固着させるのに釘や接着剤を使用することが多いので、下地材に釘や接着材で強固に接着された床材は、剥がし取ることが困難であり、床材の表面に丸鋸で多数の切り溝を入れるなどして、剥がしやすくするための処理をしなければならない。
【０００４】
このため、この処理で下地材までもが破損したり、接着剤で強固に接着されている部分では、床材の破損部分を剥がし取ることができずに下地材に残ってしまったりする。そして、下地材に残った破損部分は、けれんして取り除かねばならず、場合によっては下地材そのものを張り替えることが必要となる。
【０００５】
このように、住宅等の床のリフォームにおける床の張り替えは、大がかりな作業となってコストが嵩む上、家自体を痛めることになり、更に多くの廃材を発生させることになる為、環境保全の観点からも好ましくない。
【０００６】
そこで、最近は、住宅等の床をリフォームする場合は、古い床材を剥がさず、古い床材の上に新しい床材を接着剤等で接着・被覆する方法が採られている。上張りの工法の場合、特に厚さの薄い張り床材が必要なため、一般的には図５、図６に示すような断面構造のものが用いられている。
【０００７】
これらの図において、３０は新しい床材であり、図の（ａ）は床材３０の全体の断面を示し、図の（ｂ）は隣り合う床材３０の連結部の断面を示す。一部、通常の１２ｍｍ程度の床材上張りする場合もある。この場合、図６に示すような断面構造のものが用いられ、釘と接着剤を併用して古い床材の上に固着させる。しかし、この方法は上張り床の厚さが厚すぎるため、ドア枠の加工、見切りや框の取り合いなどの段差の調整等の問題があり、一般的ではない。
【０００８】
最近のリフォームにおいてはこのような方法が採られているが、特に薄い床材を使用するリフォームの場合、床材を接着剤等で接着被覆する方法が採られているが、古い床材の表面にワックスや汚れ等が付着していると古い床材に対する新しい床材の接着力が弱くなるので、新しい床材を接着・被覆する場合は、その前に古い床材の表面に付着しているワックスや汚れ等をできる限り除去するようにしている。
【０００９】
しかし、古い床材の表面からワックスや汚れ等を完全に除去するのはかなり困難であり、ワックスや汚れ等が若干残った状態で接着せざるを得ない。このため、この方法で床をリフォームした場合、日時の経過とともに古い床材と新しい床材の接着力が低下し、新しい床材が古い床材から剥がれやすくなるという問題がある。
【特許文献１】特開２００３−３００２０３号公報
【特許文献２】特開２００５−１１３５７０号公報
【発明の開示】
【発明が解決しようとする課題】
【００１０】
解決しようとする問題点は、特にリフォーム用の薄い床材を貼る場合、古い床材に対する新しい床材の接着力が日時の経過とともに低下し、新しい床材が古い床から剥がれやすくなる点である。
【課題を解決するための手段】
【００１１】
本発明は、新しい床材が古い床材から剥がれないように、新しい床材の見えない部分を古い床材に釘で固定できるようにし、使用した釘の頭が見えないようにしたリフォーム用床材、リフォーム方法及びリフォーム床構造を最も主要な特徴とする
【００１２】
すなわち、本発明に係るリフォーム用床材は、古い床に被覆固定する主床材と、該主床材に積層接着する副表面材とからなり、該主床材は基材と該基材に積層接着された１又は２以上の表面材とからなり、該基材は該表面材に被覆されていない未被覆領域を該表面材の両側に所定の幅で有し、該表面材の両側の該未被覆領域の幅の合計は該副表面材の幅と等しいことを特徴とする。
【００１３】
ここで、副表面材、基材及び表面材は同一の長さの長尺板状の木質材料からなり、該副表面材と該表面材の表面は同質の材料からなる。また、このリフォーム用床材は前記表面材の片側の未被覆領域と等しい長さと幅を有する補助基材を備えていてもよい。また、前記主床材の端部は相欠きの形状になっているのが好ましい。
【００１４】
また、前記基材の前記表面材に被覆されていない各未被覆領域の幅は３０ｍｍ〜７５ｍｍが好ましい。未被覆領域が３０ｍｍ未満になると釘打ちが難くなり、下地としての役目を果たさなくなり、７５ｍｍを越えると釘を打っても主床材の中心が浮いてしまうようになるが、３０ｍｍ〜７５ｍｍの範囲ではそのような不都合が無いからである。
【００１５】
また、本発明に係るリフォーム方法は、古い床の上に上述したリフォーム用床材を被覆固定するリフォーム方法であって、古い床の上に複数の主床材を敷き詰め、該主床材の該基材の該未被覆領域を釘で古い床に固定し、隣り合う主床材間において隣り合う両未被覆領域に該副表面材を積層接着することを特徴とする。
【００１６】
ここで、前記基材の片側の未被覆領域と等しい長さと幅を有する補助基材を古い床の壁際に釘で固定し、該補助基材に続いて前記主床材を古い床に釘で被覆固定し、該主床材の基材の未被覆領域と該補助基材に前記副表面材を積層接着するようにしてもよい。
【００１７】
また、本発明に係るリフォーム床構造は、古い床の上に上述したリフォーム用床材が積層固定されたものであり、該基材の該未被覆領域は古い床に釘で固定され、古い床に固定された該基材の隣り合う両未被覆領域には該副表面材が積層接着されていることを特徴とする。
【００１８】
ここで、前記表面材の片側の未被覆領域と等しい長さと幅を有する補助基材が古い床に壁に接した状態で釘で被覆固定され、該補助基材に続いて前記主床材が古い床に釘で被覆固定され、前記基材の未被覆領域と該補助基材に前記副表面材が積層接着されていてもよい。
【発明の効果】
【００１９】
本発明によれば、古い床の上に新しい床材を釘打ちで強固に固定することができ、しかも釘打ちした釘の頭が表面材に被覆されて見えないので、新しい床の仕上がりが非常にきれいであるという利点がある。
【００２０】
本発明によれば、古い床の上に新しい床材を敷いて釘で固定し、釘の上に副表面材を接着させるだけなので、古い床の上に新しい床材を簡単に被覆施工することができ、古い床を低コストでリフォームすることができるという利点がある。
【００２１】
本発明によれば、新しい床材を古い床に釘で物理的に固定させるので、接着剤で接着させた場合のように、新しい床材が日時の経過とともに古い床から剥がれるというような不都合が生じないという利点がある。
【００２２】
なお、従来のリフォームでは、既存床材と新しい床材との結合に両面テープや接着剤が使用されていたが、両面テープ等の接着力が日時の経過とともに低下し、既存床材から新しい床材が剥がれてくる。これは、下地の不陸・湿気・ワックスなどの汚れを考えると、両面テープ等での結合方法には限界がある。
【００２３】
本発明は既存床材と新しい床材を主床材の未被覆領域に釘などを打つといった、既存床材の下地の表面状態に結合状態が左右されない方法で結合させているので、日時の経過とともに両面テープの接着力が低下し、既存床材から新しい床材が剥がれてくるという心配がない。
【００２４】
また、従来のリフォームでは、継手部分は相欠きで乗せているだけで、被覆床材自体の反り上がりや下地の不陸などの影響を受けやすい継手部分の結合は両面テープのみなので、継手部分の縁が切れて跳ね上がることがある。
【００２５】
本発明は継手部分が主床材の未被覆領域上にくるので、材の反りや板地の不陸に影響されず、また副表面材の接着も平滑な未被覆領域に接着剤を介するので、確実な結合が期待できる。
【００２６】
また、従来のリフォームでは、既存床材の表面の古いワックスや汚れなどの剥離作業などに専門的な技術が必要なので、既存床材の表面の古いワックスや汚れなどの剥離作業をせずに既存床材に新しい床材を両面テープで接着させているが、そのようにすると既存床材から新しい床材が両面テープとともに剥がれてくる。本発明は既存床材に新しい床材を釘で固定するので、これらの剥離作業を必要としない。
【００２７】
また、従来のリフォームでは、ドア枠・壁・見切り・框など、際部の施工に時間と手間がかかっていた。特に「測る」、「切る」、「貼る」作業工程のうち、「切る」フェーズが非常に手間取っていた。これは、従来のリフォームの場合、カッターナイフでの切断を可能としているが、相当の労力を要し、危険をともなう。その結果、細部加工や長尺もののカット時にはスライド丸鋸などの電気道具使用を必要とし、加工場所の確保や粉塵・埃などの対策などが作業効率を下げていた。
【００２８】
本発明は、主床材以外の部分は補助基材と副表面材の２層構造にすることによって際部施工の作業性が向上し、加工場所も従来より狭小で足り、回転工具類の使用を必要としないので粉塵・埃が出にくく安全衛生的にも改善できる。
【００２９】
また、従来のリフォームでは、粉塵・埃・廃材が大量に出るので、騒音・環境・ゴミが問題である。本発明は、両面テープ使用量・回転工具使用量などにより施工時の粉塵・埃・廃材の減量、ワックスフリーで環境配慮、騒音も発生しない。また、本発明は積層部の最高厚さを３ｍｍに抑えドア下などのクリアランス厚確保、部分貼りも可能、すぐ剥がせる（再施工も容易）、仮住まい不要といった利点もある。
【発明を実施するための最良の形態】
【００３０】
古い床材の上に新しい床材を強固に固定するという目的を、簡単な方法・構造で、床材の見た目を損なわずに実現した。
【実施例１】
【００３１】
図１は本発明に係るリフォーム用床材の斜視図、図２は本発明に係るリフォーム用床材の断面図であり、これらの図において、１０はリフォーム用床材であり、リフォーム用床材１０は、古い床に被覆固定する長尺板状の主床材１２と、主床材１２に積層接着する長尺板状の副表面材１４とからなる。
【００３２】
主床材１２は、長尺板状の基材１６と、基材１６の一方の面に積層接着された１又は２以上の長尺板状の表面材１８とからなる。副表面材１４の裏面には両面テープ（図示せず）が被覆され、該両面テープには保護シート（図示せず）が被覆されている。
【００３３】
副表面材１４、基材１６及び表面材１８は略同一の長さを有し、副表面材１４と表面材１８は同質の材料からなる。基材１６は表面材１８に被覆されていない未被覆領域２０，２０を表面材１８の両側に所定の幅で有している。表面材１８の両側の未被覆領域２０，２０の幅の合計は副表面材１４の幅と等しい。
【００３４】
ここで、基材１６の表面材１８に被覆されていない各未被覆領域２０，２０の幅Ｌは３０ｍｍ〜７５ｍｍが好ましい。未被覆領域が３０ｍｍ未満になると釘打ちが難くなり、下地としての役目を果たさなくなり、７５ｍｍを越えると釘を打っても主床材の中心が浮いてしまうようになるが、３０ｍｍ〜７５ｍｍの範囲ではそのような不都合が無いからである。
【００３５】
また、古い床に新しい床材を被覆すると、床の高さが新しい床材の厚さの分だけ高くなり、ドア枠・壁・見切り・框など際部の加工が必要になることがある。従って、主床材１２の厚さはそれ自体の強度を低下させない範囲でできるだけ薄いことが好ましい。かかる観点から考えると、基材１６の厚さは１〜２ｍｍ程度が好ましく、表面材１８の厚さは０．５〜２ｍｍ程度が好ましい。
【００３６】
また、本発明に係るリフォーム用床材１０は、壁際の床をリフォームするために、表面材１８の片側の未被覆領域２０と等しい長さを有し、未被覆領域２０の幅との合計が副表面材１４の幅と等しくなる幅を有する板材が必要であるが、かかる板材を予め補助基材２２として備えているのが好ましい。
【００３７】
次に、このリフォーム用床材１０を用いて古い床をリフォームする方法について図３を参照しながら説明する。
【００３８】
まず、壁際から古い床の上に補助基材２２を壁に沿って被覆し、この補助基材２２を古い床に釘２４で固定する。次に、補助基材２２の隣に主床材１２を未被覆領域２０が補助基材２２に隣り合って密着するように被覆し、未被覆領域２０を古い床に釘２４で固定する。
【００３９】
次に、主床材１２の隣に別の主床材１２を未被覆領域２０，２０が隣り合って密着するように順次敷き詰め、各未被覆領域２０，２０を古い床に釘２４で固定する。主床材１２の敷き詰めが他方の壁際に到達したところで、壁際の古い床の上に補助基材２２を壁に沿って被覆し、この補助基材２２を古い床に釘２４で固定する。
【００４０】
次に、各補助基材２２、各未被覆領域２０，２０に接着材を部分的に塗布し、補助基材２２及びこの補助基材２２と隣り合う未被覆領域２０の上、隣り合う未被覆領域２０，２０の上に副表面材１４を各々積層する。
【００４１】
ここで、副表面材１４は主床材１２の表面材１８と並ぶ準貼りで被覆しても良いし、主床材１２の表面材１８と段違いになる筏貼りで被覆してもよい。副表面材１４は表面材１８，１８の間に両面テープ及び接着剤で接着被覆され、床全面が表面材１８及び副表面材１４で被覆され、床のリフォームが完成する。
【００４２】
次に、以上のようにしてリフォームした床の断面構造を図４を参照しながら説明する。
【００４３】
同図において、古い床の上には長尺板状の主床材１２が積層接着し、主床材１２には副表面材１４が積層接着している。主床材１２は長尺板状の基材１６と、基材１６に積層接着された１又は２以上の長尺板状の表面材１８，１８とからなる。副表面材１４、基材１６及び表面材１８は同一の長さを有し、副表面材１４は表面材１８と同質の材料からなる。
【００４４】
基材１６は表面材１８に被覆されていない未被覆領域２０を表面材１８の両側に所定の幅で有し、表面材１８の両側の未被覆領域２０の幅の合計は副表面材１４の幅と等しく、基材１６の未被覆領域２０は釘２４で古い床材３０に固定され、古い床材３０に固定された基材１６の隣り合う両未被覆領域２０，２０には両面テープ（図示せず）及び接着剤（図示せず）を介して副表面材１４が積層接着されている。
【００４５】
基材１６の表面材１８に被覆されていない各未被覆領域２０，２０の幅は３０ｍｍ〜７５ｍｍが好ましい。未被覆領域が３０ｍｍ未満になると釘打ちが難くなり、下地としての役目を果たさなくなり、７５ｍｍを越えると釘を打っても主床材の中心が浮いてしまうようになるが、３０ｍｍ〜７５ｍｍの範囲ではそのような不都合が無いからである。
【００４６】
また、壁際に接している部分には表面材１８の片側の未被覆領域２０と等しい長さと幅を有する補助基材２２が使用されている。
【図面の簡単な説明】
【００４７】
【図１】本発明に係るリフォーム用床材の斜視図である。
【図２】本発明に係るリフォーム用床材の断面図である。
【図３】本発明に係るリフォーム方法の工程図である。
【図４】本発明に係るリフォーム床構造の断面図である。
【図５】従来の床材の一例の断面図である。
【図６】従来の床材の他の例の断面図である。
【符号の説明】
【００４８】
１０ リフォーム用床材
１２ 主床材
１４ 副表面材
１６ 基材
１８ 表面材
２０ 未被覆領域
２２ 補助基材
２４ 釘
３０ 古い床材
【図１】
2010007417.tif 000003
【図２】
2010007417.tif 000004
【図３】
2010007417.tif 000005
【図４】
2010007417.tif 000006
【図５】
2010007417.tif 000007
【図６】
2010007417.tif 000008